(57)【要約】【課題】波長分割多重方式の受動型光加入者網を提供すること。【解決手段】多重化された下り光信号を生成する中央基地局２１０と、該当する波長の下り光信号が与えられる複数の加入者装置２３０−１〜２３０―ｎと、各加入者装置２３０−１〜２３０―ｎと中央基地局２１０を中継するための地域基地局２２０とを備える受動型光加入者網であって、中央基地局２１０は、複数の非干渉チャンネルと利得チャンネルとを含む利得クランプされた広い波長帯域の光を生成するための広帯域光源２１３と、該当する波長の非干渉チャンネルによって波長ロックされた下り光信号を生成するための複数の下り光源２１２−１〜２１２−ｎと、非干渉チャンネルを逆多重化して該当する下り光源に出力し、かつ上り光信号を多重化して出力するための多重化／逆多重化器２１１とを備える。【選択図】図２
2006217621.tif 000002
【特許請求の範囲】
【請求項１】
多重化された下り光信号を生成する中央基地局と、該当する波長の下り光信号が提供される複数の加入者装置と、前記加入者装置と前記中央基地局とを中継するための地域基地局とを備える受動型光加入者網であって、
前記中央基地局は、
利得チャンネルと複数の非干渉チャンネルとを含む利得クランプされた広波長帯域の光を生成するための広帯域光源と、
該当する波長の前記非干渉チャンネルによって波長ロックされた下り光信号を生成するための複数の下り光源と、
前記非干渉チャンネルを逆多重化して該当する前記下り光源に前記逆多重化されたチャンネルを出力し、前記上り光信号を多重化して出力するための多重化／逆多重化器とを備えることを特徴とする波長分割多重方式の受動型光加入者網。
【請求項２】
受動型光加入者網であって、
利得チャンネルと複数の非干渉チャンネルとを含む利得クランプされた広波長帯域の光を生成するための広帯域光源を備え、該当する波長の前記非干渉チャンネルによって波長ロックされた下り光信号を生成する中央基地局と、
該当する波長の下り光信号を受信し、上り光信号を生成する複数の加入者装置と、
前記複数の加入者装置からの前記上り光信号を多重化して前記中央基地局に出力し、前記中央基地局からの前記下り光信号を該当する前記加入者装置に出力し、前記利得チャンネルを前記中央基地局に反射するための地域基地局とを備えることを特徴とする波長分割多重方式の受動型光加入者網。
【請求項３】
前記中央基地局は、
波長ロックされた下り光信号を生成し、該当する波長の前記上り光信号を検出するための複数の下り光送受信器と、
前記下り光信号を多重化し、多重化された前記上り光信号を逆多重化して該当する前記下り光送受信器に出力するための第１の多重化／逆多重化器と、
前記利得チャンネルを含む波長帯域を前記地域基地局に出力し、前記非干渉チャンネルを含む波長帯域を前記第１の多重化／逆多重化器に出力するための第１の波長選択結合器と、
前記地域基地局において反射された前記利得チャンネルを検出するための監視光検出器と、
前記第１の波長選択結合器を介して入力された前記利得チャンネルを前記監視光検出器に出力し、前記広帯域光源からの前記光を前記第１の波長選択結合器に出力するための第２の波長選択結合器とを備えることを特徴とする請求項１に記載の波長分割多重方式の受動型光加入者網。
【請求項４】
前記地域基地局は、
前記上り光信号を多重化して前記中央基地局に出力し、前記中央基地局からの多重化された下り光信号を逆多重化して該当する加入者装置に出力するための第２の多重化／逆多重化器と、
前記中央基地局と前記第２の多重化／逆多重化器との間に位置し、前記利得チャンネルのみを前記中央基地局に反射するための帯域選択反射フィルタとを備えることを特徴とする請求項２に記載の波長分割多重方式の受動型光加入者網。
【請求項５】
前記地域基地局は、
前記上り光信号を多重化し、多重化された下り光信号を逆多重化して該当する前記加入者装置に出力し、かつ前記利得チャンネルを分割して出力するための第２の多重化／逆多重化器と、
該当する前記加入者装置と前記第２の多重化／逆多重化器との間に位置し、前記地域基地局からの該当する入力チャンネルを前記地域基地局に反射するための帯域選択反射フィルタとを備えることを特徴とする請求項２に記載の波長分割多重方式の受動型光加入者網。
【請求項６】
受動型光加入者網であって、
利得チャンネルと複数の非干渉チャンネルとを含む利得クランプされた広波長帯域の光を生成するための広帯域光源と、該当する波長の前記非干渉チャンネルによって波長ロックされた下り光信号を生成するための複数の下り光源とを備え、前記利得チャンネルを放送用の光信号に変調する中央基地局と、
該当する波長の前記下り光信号を提供される複数の加入者装置と、
前記下り光信号のそれぞれを該当する前記加入者装置に出力し、前記放送用の光信号を分割して前記各加入者装置に出力するための地域基地局とを備えることを特徴とする波長分割多重方式の受動型光加入者網。
【請求項７】
前記広帯域光源は、前記利得チャンネルを前記放送用の光信号に変調して出力するための利得クランプド半導体光増幅器を備えることを特徴とする請求項６に記載の波長分割多重方式の受動型光加入者網。
【請求項８】
前記中央基地局は、
前記非干渉チャンネルを該当する下り光源に出力し、前記各下り光源において生成された前記下り光信号を多重化して前記地域基地局に出力するための多重化器と、
前記放送用の光信号と多重化された前記下り光信号を前記地域基地局に出力し、前記非干渉チャンネルを前記多重化器に出力するための第１の波長選択結合器とをさらに備えることを特徴とする請求項６に記載の波長分割多重方式の受動型光加入者網。
【請求項９】
前記各下り光源は、ファブリー・ペローレーザを備えることを特徴とする請求項６に記載の波長分割多重方式の受動型光加入者網。
【請求項１０】
前記各下り光源は、反射型半導体光増幅器を備えることを特徴とする請求項６に記載の波長分割多重方式の受動型光加入者網。
【請求項１１】
前記中央基地局は、
前記非干渉チャンネルを該当する下り光源に出力し、前記各下り光源において生成された前記下り光信号を多重化して前記地域基地局に出力するための多重化器と、
前記放送用の光信号と多重化された前記下り光信号とを前記地域基地局に出力し、前記非干渉チャンネルを前記多重化器に出力するための第１の波長選択結合器と、
前記広帯域光源と前記第１の波長選択結合器との間に位置し、前記利得チャンネルを放送用のデータに変調してなる前記放送用の光信号を生成するための外部変調器とをさらに備えることを特徴とする請求項６に記載の波長分割多重方式の受動型光加入者網。
【請求項１２】
前記地域基地局は、
多重化された前記下り光信号を逆多重化して該当する前記加入者装置に出力するための逆多重化器と、
前記放送用の光信号を分割してそれぞれの前記加入者装置に出力するための分割器と、
前記中央基地局と前記逆多重化器との間に位置して、多重化された下り光信号を前記逆多重化器に出力し、前記放送用の光信号を前記分割器に出力するための第２の波長選択結合器と、
前記逆多重化器と前記各加入者との間に位置し、逆多重化された該当する下り光信号と分割された前記放送用の光信号とを該当する前記加入者装置に出力するための複数の第３の波長選択結合器とを備えることを特徴とする請求項６に記載の波長分割多重方式の受動型光加入者網。
【発明の詳細な説明】
【技術分野】
【０００１】
本発明は、波長分割多重方式の受動型光加入者網に係り、詳しくは、波長ロッキングにより生成された光信号を用いた波長分割多重方式の受動型光加入者網に関する。
【背景技術】
【０００２】
波長分割多重方式の受動型光加入者網（ＷＤＭ−ＰＯＮ：Wavelength Division Multiplexing-Passive Optical Network）は、加入者装置のそれぞれに与えられた固有の波長を有する対応するチャンネルを通じてデータが載せられた光信号を伝送する光通信網の一種である。このため、受動型光加入者網は、他の通信網に比べて通信セキュリティの保持に極めて優れており、通信容量の拡充が容易であり、各加入者装置が要求する追加の別途の通信サービスを提供することに適している。
【０００３】
波長分割多重方式の光通信網では、光信号を生成するための光源として、分散帰還レーザ、分散帰還レーザアレイ、多波長レーザ、超短パルス光源（picosecond pulse light source）などを採用することができる。
【０００４】
近年、波長選択性に優れ、別途の安定化手段を要しないほか、波長管理が容易に行えるスペクトル分割方式光源と、非干渉性光により波長ロックされた光信号を生成可能な波長ロッキング光源が用いられている。
【０００５】
上述した波長ロッキング光源としては、ファブリー・ペローレーザまたは反射型半導体光増幅器などが使用可能である。
【０００６】
また、障害の発生によるデータの損失を防ぐための手段として、別途の低速通信回路を備える受動型光加入者網も提案されており、この他にも、保護切替構造を有する環状網が提案されている。
【０００７】
図１は、網（ネットワーク）の異常の有無を監視するための別途の手段を備えた従来の受動型光加入者網の構成図である。図１に示すように、従来の受動型光加入者網は、中央基地局１１０と、地域基地局１３０と、複数の加入者装置１４０−１〜１４０−ｎとを備える。中央基地局１１０と上記地域基地局１３０とは、幹線光ファイバ１０１によりリンクされ、地域基地局１３０と各加入者装置１４０−１〜１４０−ｎとは、それぞれが支線光ファイバ１０２−１〜１０２−ｎによりリンクされる。
【０００８】
中央基地局１１０は、複数の下り光送受信器１１２−１〜１１２−ｎと、多重化／逆多重化器１１１と、広い波長帯域の光を生成するための広帯域光源１１３と、サーキュレータ１１４と、網の状態を監視するための監視手段１２０とを備えている。
【０００９】
下り光送受信器１１２−１〜１１２−ｎは、波長ロックされた下り光信号を生成するための半導体光源と、該当する波長の上り光信号を検出するためのフォトダイオードを備えている。
【００１０】
多重化／逆多重化器１１１は、多重化された上り光信号を逆多重化して該当する（対応する）下り光送受信器１１２−１〜１１２−ｎに出力し、かつ下り光信号を多重化してサーキュレータ１１４を介して地域基地局１３０に出力する。また、当該多重化／逆多重化器１１１は、光を異なる波長を有する各非干渉チャンネルに分割して、該当する下り光送受信器１１２−１〜１１２−ｎに出力する。
【００１１】
サーキュレータ１１４は、監視手段１２０と多重化／逆多重化器１１１との間に位置し、広帯域光源１１３と接続されている。サーキュレータ１１４は、広帯域光源１１３からの光と多重化された上り光信号とを多重化／逆多重化器１１１に出力し、多重化された下り光信号を監視手段１２０を介して地域基地局１３０に出力する。
【００１２】
監視手段１２０は、サーキュレータ１１４と地域基地局１３０との間に位置する第１の波長選択結合器１２４と、監視チャンネルを生成するための監視光源１２１と、監視チャンネルを検出するための監視チャンネル検出器１２２とを備えている。
【００１３】
地域基地局１３０は、中央基地局１１０からの多重化された下り光信号を逆多重化し、該当する各加入者装置１４０−１〜１４０−ｎに出力し、各加入者装置１４０−１〜１４０−ｎからの上り光信号を多重化して中央基地局１１０に出力するための多重化／逆多重化器１３１と、中央基地局１１０から出力された監視チャンネルを、中央基地局１１０に反射するための帯域選択反射フィルタ１３２とを備えている。
【００１４】
しかしながら、別途に放送手段または監視手段を備える従来の受動型光加入者網は、当該受動型光加入者網の具現に際して、コストが高い問題を有している。
【発明の開示】
【発明が解決しようとする課題】
【００１５】
そこで、本発明は、ネットワーク（網）を監視するための、若しくは放送用の光信号を生成するための光源を個別に設けることなく、ネットワークの監視や放送用の光信号の伝送が可能な経済的な受動型光加入者網を提供することを目的とする。
【課題を解決するための手段】
【００１６】
本発明の１つの側面における波長分割多重方式の受動型光加入者網は、多重化された下り光信号を生成する中央基地局と、該当する波長の下り光信号が与えられる複数の加入者装置と、該加入者装置と中央基地局を中継するための地域基地局とを備える受動型光加入者網であって、中央基地局は、利得チャンネルと複数の非干渉チャンネルとを含む利得クランプされた広い波長帯域の光を生成するための広帯域光源と、該当する波長の非干渉チャンネルによって波長ロックされた下り光信号を生成するための複数の下り光源と、該非干渉チャンネルを逆多重化して該当する下り光源に出力し、上り光信号を多重化して出力するための多重化／逆多重化器とを備えることを特徴とする。
【００１７】
また、本発明の他の側面における波長分割多重方式の受動型光加入者網は、利得チャンネルと複数の非干渉チャンネルとを含む利得クランプされた広い波長帯域の光を生成するための広帯域光源を備え、該当する波長の非干渉チャンネルによって波長ロックされた下り光信号を生成する中央基地局と、該当する波長の下り光信号を受信し、上り光信号を生成する複数の加入者装置と、複数の加入者装置からの上り光信号を多重化して中央基地局に出力し、中央基地局からの下り光信号を該当する加入者装置に出力し、入力された利得チャンネルを中央基地局に反射するための地域基地局とを備えることを特徴とする。
【００１８】
さらに、本発明の他の側面における波長分割多重方式の受動型光加入者網は、利得チャンネルと複数の非干渉チャンネルとを含む利得クランプされた広い波長帯域の光を生成するための広帯域光源と、該当する波長の非干渉チャンネルによって波長ロックされた下り光信号を生成するための複数の下り光源とを備え、利得チャンネルを放送用の光信号に変調するための中央基地局と、該当する波長の下り光信号が与えられる複数の加入者装置と、下り光信号のそれぞれを該当する加入者装置に出力し、放送用の光信号を分割（強度分割）して各加入者装置に出力するための地域基地局とを備えることを特徴とする。
【発明の効果】
【００１９】
本発明によれば、利得クランプド半導体光増幅器を用いることにより、別途の光源をさらに備えることなく、ネットワークの監視のための監視チャンネルを生成することが可能であり、また、放送用の光信号を生成するための別途の構成が必要ない。すなわち、本発明の受動型光加入者網は、設置コストを低減でき、経済的な受動型光加入者網を提供することが可能になる。
【発明を実施するための最良の形態】
【００２０】
以下、添付図面に基づき、本発明の好適な実施形態を詳述する。また、下記の説明及び添付図面において、本発明の要旨を不明確にする公知の技術や構成についての詳細な説明は、適宜省略する。
【００２１】
（第１の実施形態）
図２は、本発明の第１の実施形態の受動型光加入者網の構成図であり、図３は、図２における中央基地局の一部の構成を示す部分構成図である。図２及び図３に示すように、本実施形態の受動型光加入者網は、多重化された下り光信号を生成する中央基地局２１０と、該当する波長の下り光信号が与えられる複数の加入者装置２３０−１〜２３０−ｎと、各加入者装置２３０−１〜２３０−ｎと中央基地局２１０を中継するための地域基地局２２０とを備えている。中央基地局２１０と地域基地局２２０とは、幹線光ファイバ２０１によりリンクされ、地域基地局２２０と各加入者装置２３０−１〜２３０−ｎとは、各支線光ファイバ２０２−１〜２０２−ｎによりそれぞれがリンクされている。
【００２２】
中央基地局２１０は、広帯域光源（ＢＬＳ）２１３と、第１の多重化／逆多重化器２１１（ＡＷＧ）と、複数の下り光送受信器（Ｔｘ／Ｒｘ）２１２−１〜２１２−ｎと、第１及び第２の波長選択結合器２１６、２１７と、監視光検出器２１５とを備えている。
【００２３】
広帯域光源２１３は、複数の非干渉チャンネルと利得チャンネルを含む利得クランプされた広波長帯域の光を生成可能な利得クランプド半導体光増幅器を備え、図３に示すように、利得チャンネル３１１は、非干渉チャンネル３１２の波長帯域と所定の間隔離れている。
【００２４】
各下り光送受信器２１２−１〜２１２−ｎは、該当する非干渉チャンネルにより波長ロックされたそれぞれの下り光信号を生成し、該当する波長の上り光信号を検出する。なお、本実施形態の各下り光送受信器２１２−１〜２１２−ｎは、下り光信号を生成するための半導体光源と、該当する波長の上り光信号を検出するためのフォトダイオードとを備え、半導体光源としては、ファブリー・ペローレーザ、又は反射型半導体光増幅器などを用いることができる。
【００２５】
第１の多重化／逆多重化器２１１は、光導波路アレイ格子や波長分割多重化フィルタなどが使用され、下り光信号を多重化させて地域基地局２２０に出力し、地域基地局２２０において多重化された上り光信号を逆多重化して該当する下り光送受信器２１２−１〜２１２−ｎの各々に出力する。また、当該第１の多重化／逆多重化器２１１は、非干渉チャンネルを分割して該当する下り光送受信器２１２−１〜２１２−ｎに出力する。
【００２６】
第１の波長選択結合器２１６は、広帯域光源２１３で生成された光のうち、利得チャンネルを地域基地局２２０に出力し、非干渉チャンネルを含む光の波長帯域を分割して第１の多重化／逆多重化器２１１に出力する。さらに、当該第１の波長選択結合器２１６は、後述するように、地域基地局２２０において反射された利得チャンネルを第２の波長選択結合器２１７に出力する。
【００２７】
第２の波長選択結合器２１７は、第１の波長選択結合器２１６を介して入力された利得チャンネル（地域基地局２２０において反射された利得チャンネル）を監視光検出器２１５に出力し、広帯域光源２１３から入力された複数の非干渉チャンネルと利得チャンネルを含む利得クランプされた広波長帯域の光を第１の波長選択結合器２１６に出力する。
【００２８】
監視光検出器２１５は、地域基地局２２０において反射された利得チャンネルを検出し、当該利得チャンネルの検出結果から、該当する光路やネットワークデバイス（装置）の異常を判別する。当該監視光検出器２１５としては、フォトダイオードなどが使用可能である。
【００２９】
地域基地局２２０は、第２の多重化／逆多重化器２２１と、帯域選択反射フィルタ２２２とを備えている。
【００３０】
地域基地局２２０の第２の多重化／逆多重化器２２１は、各加入者装置２３０−１〜２３０−ｎにおいて生成された各上り光信号を多重化して中央基地局２１０に出力し、中央基地局２１０において多重化された下り光信号を逆多重化させて該当する加入者装置２３０−１〜２３０−ｎに各々出力する。
【００３１】
帯域選択反射フィルタ２２２は、中央基地局２１０と第２の多重化／逆多重化器２２１との間に位置し、利得チャンネルのみを中央基地局２１０に反射する。また、帯域選択反射フィルタ２２２は、第２の多重化／逆多重化器２２１において多重化された上り光信号を中央基地局２１０に出力し、中央基地局２１０からの多重化された下り光信号を第２の多重化／逆多重化器２２１に出力する。
【００３２】
なお、帯域選択反射フィルタ２２２としては、誘電体物質が多層に蒸着された薄膜状のフィルタが使用でき、必要な波長帯域を選択して反射したり、特定の波長帯域だけを透過（伝送）するようにしてもよい。
【００３３】
各加入者装置２３０−１〜２３０−ｎは、上り光信号を生成可能な上り光源と、該当波長の下り光信号を検出可能な上り光検出器とを備えることができ、地域基地局２２０において逆多重化された該当する波長の下り光信号を検出する。
【００３４】
このように、本実施形態の波長分割多重方式の受動型光加入者網は、利得クランプド半導体光増幅器を用いているため、従来のようにネットワーク監視用の別途の光源を備えることなく、ネットワークの監視のための監視チャンネルを生成することが可能である。したがって、設置コストを低減でき、経済的な受動型光加入者網を提供することが可能になる。なお、ネットワークの状態を監視するための監視手段のその他の構成は、従来と同様であるため、説明を省略する。
【００３５】
（第２の実施形態）
図４は、本発明の第２の実施形態の受動型光加入者網の構成図である。図４に示すように、本実施形態の受動型光加入者網４００は、多重化された下り光信号を生成する中央基地局４１０と、該当する波長の下り光信号が与えられる複数の加入者装置４３０−１〜４３０−ｎと、各加入者装置４３０−１〜４３０−ｎと中央基地局４１０を中継する地域基地局４２０とを備えている。中央基地局４１０と地域基地局４２０とは、幹線光ファイバ４０１によりリンクされ、地域基地局４２０と各加入者装置４３０−１〜４３０−ｎとは、各支線光ファイバ４０２−１〜４０２−ｎによりそれぞれがリンクされている。
【００３６】
中央基地局４１０は、広帯域光源４１３と、第１の多重化／逆多重化器４１２と、複数の下り光源４１１−１〜４１１−ｎと、第１の及び第２の波長選択結合器４１５、４１６と、監視光検出器４１４とを備えている。
【００３７】
広帯域光源４１３は、複数の非干渉チャンネルと利得チャンネルとを含む利得クランプされた広波長帯域の光を生成可能な利得クランプド半導体レーザを備えている。当該利得チャンネルは、上述の図３に示したように、非干渉チャンネルの波長帯域と所定の間隔離れている。
【００３８】
各下り光源４１１−１〜４１１−ｎは、該当する非干渉チャンネルにより波長ロックされた下り光信号をそれぞれ生成する。各下り光源４１１−１〜４１１−ｎは、ファブリー・ペローレーザ、又は反射型半導体光増幅器などを含むように構成されている。
【００３９】
第１の多重化／逆多重化器４１２としては、光導波路アレイ格子または波長分割多重化フィルタなどが使用され、下り光信号を多重化して地域基地局４２０に出力し、広帯域光源４１３からの複数の非干渉チャンネルと利得チャンネルとを含む利得クランプされた広波長帯域の光における複数の非干渉チャンネルをそれぞれ分割して、該当する下り光源４１１−１〜４１１−ｎに出力する。
【００４０】
第１の波長選択結合器４１５は、広帯域光源４１３からの光における利得チャンネルを地域基地局４２０に出力し、複数の非干渉チャンネルを含む光の波長帯域を分割し、分割された光を第１の多重化／逆多重化器４１２に出力する。第２の波長選択結合器４１６は、第１の波長選択結合器４１５を介して入力された利得チャンネルを監視光検出器４１４に出力し、広帯域光源４１３から入力された光を第１の波長選択結合器４１５に出力する。そして、監視光検出器４１４は、地域基地局４２０において反射された利得チャンネルを検出する。
【００４１】
地域基地局４２０は、第２の多重化／逆多重化器４２１と、帯域選択反射フィルタ４２２とを備え、第２の多重化／逆多重化器４２１は、中央基地局４１０において多重化された下り光信号を逆多重化して該当する各加入者装置４３０−１〜４３０−ｎに出力する。
【００４２】
帯域選択反射フィルタ４２２は、第２の多重化／逆多重化器４２１と該当する加入者装置４３０−１〜４３０−ｎとの間に位置し、利得チャンネルを中央基地局４１０に反射させるとともに、該当する波長の下り光信号を該当する加入者装置４３０−１〜４３０−ｎに出力する。
【００４３】
また、各加入者４３０−１〜４３０−ｎは、該当する波長の下り光信号を検出するための上り光検出器を備えている。なお、図４に示した当該帯域選択反射フィルタ４２２は、加入者装置４３０−１と第２の多重化／逆多重化器４２１との間に位置している例を示しているが、例えば、複数の加入者装置４３０−１〜４３０−ｎの任意の加入者装置に対して各々複数の帯域選択反射フィルタ４２２を設けることも可能である。
【００４４】
（第３の実施形態）
図５は、本発明の第３の実施形態の、多重化された下り光信号と放送用の光信号とを同時に伝送する受動型光加入者網の構成図である。当該図５は、利得チャンネルを放送用の光信号に変調するために外部変調器を備えていない構成を示している。
【００４５】
図５に示すように、本実施形態の受動型光加入者網５００は、多重化された下り光信号と放送用の光信号とを生成するための中央基地局５１０と、該当する波長の下り光信号と放送用の光信号が与えられる複数の加入者装置５３０−１〜５３０−ｎと、各加入者装置５３０−１〜５３０−ｎと中央基地局５１０を中継するための地域基地局５２０とを備えている。なお、中央基地局５１０と地域基地局５２０とは、幹線光ファイバ５０１によりリンクされ、地域基地局５２０と各加入者５３０−１〜５３０−ｎは、それぞれの支線光ファイバ５０２−１〜５０２−ｎによりリンクされている。
【００４６】
中央基地局５１０は、利得クランプされた広い波長帯域の光を生成するための広帯域光源５１３と、下り光信号を生成するための複数の下り光源５１１−１〜５１１−ｎと、多重化器５１２と、第１の波長選択結合器５１４とを備えている。
【００４７】
広帯域光源５１３は、利得クランプド半導体光増幅器を備えることができ、利得クランプド半導体光増幅器は、利得チャンネルと複数の非干渉チャンネルとを含む（又はよりなる）利得クランプされた広い波長帯域の光を生成する。利得クランプド半導体光増幅器において生成された利得チャンネルと非干渉チャンネルとの波長間隔は、ユーザのニーズに合わせて制御可能である。また、利得チャンネルは、広帯域光源５１３の直接変調により、データが載せられた放送用の光信号に変調される。
【００４８】
また、各下り光源５１１−１〜５１１−ｎは、該当する波長の非干渉チャンネルによって波長ロックされた下り光信号を生成する。
【００４９】
多重化器５１２は、広帯域光源５１３からの記光の波長帯域中における複数の非干渉チャンネルそれぞれを分割して該当する下り光源に出力し、波長ロックされた下り光信号を多重化して地域基地局５２０に出力する。
【００５０】
第１の波長選択結合器５１４は、放送用の光信号と多重化された下り光信号とを地域基地局５２０に出力し、当該光中において非干渉チャンネルを含む波長帯域を多重化器５１２に出力する。
【００５１】
地域基地局５２０は、逆多重化器５２１と、放送用の光信号を複数に強度分割するための強度分割器５２４と、第２の波長選択結合器５２２と、複数の第３の波長選択結合器５２３−１〜５２３−ｎとを備えている。
【００５２】
逆多重化器５２１は、多重化された下り光信号を逆多重化して各第３の波長選択結合器５２３−１〜５２３−ｎを介して該当する加入者装置５３０−１〜５３０−ｎに出力する。逆多重化器５２１は、光導波路アレイ格子などを含むことができる。
【００５３】
強度分割器５２４は、第２の波長選択結合器５２２を介して入力された中央基地局５１０からの放送用の光信号を複数に強度分割し、各第３の波長選択結合器５２３−１〜５２３−ｎを介して強度分割された各光信号を各加入者装置５３０−１〜５３０−ｎに出力する。
【００５４】
第２の波長選択結合器５２２は、中央基地局５１０と逆多重化器５２１との間に位置し、多重化された下り光信号を逆多重化器５２１に出力し、放送用の光信号を強度分割器５２４に出力する。
【００５５】
各第３の波長選択結合器５２３−１〜５２３−ｎは、逆多重化器５２１と該当する加入者装置５３０−１〜５３０−ｎとの間に位置し、逆多重化された該当する下り光信号と強度分割された放送用の光信号とを該当する加入者装置５３０−１〜５３０−ｎに出力する。
【００５６】
（第４の実施形態）
図６は、本発明の第４の実施形態の、多重化された下り光信号と放送用の光信号とを同時に伝送する受動型光加入者網の構成図である。当該図６は、上述の第３の実施形態に対して、利得チャンネルを放送用の光信号に変調するための外部変調器を備えた構成である。
【００５７】
図６に示すように、本実施形態の受動型光加入者網６００は、多重化された下り光信号と放送用の光信号を生成するための中央基地局６１０と、該当する波長の下り光信号と放送用の光信号とが与えられる複数の加入者装置６３０−１〜６３０−ｎと、各加入者装置６３０−１〜６３０−ｎと中央基地局６１０を中継するための地域基地局６２０とを備えている。中央基地局６１０と地域基地局６２０は、幹線光ファイバ６０１によりリンクされ、地域基地局６２０と各加入者装置６３０−１〜６３０−ｎは、それぞれの支線光ファイバ６０２−１〜６０２−ｎによりリンクされる。
【００５８】
中央基地局６１０は、利得クランプされた広い波長帯域の光を生成するための広帯域光源６１３と、下り光信号を生成するための複数の下り光源６１１−１〜６１１−ｎと、多重化器６１２と、第１の波長選択結合器６１４と、外部変調器６１５とを備えている。
【００５９】
広帯域光源６１３は、利得クランプド半導体光増幅器を備えており、当該利得クランプド半導体光増幅器は、利得チャンネルと複数の非干渉チャンネルとを含む利得クランプされた広い波長帯域の光を生成する。上述したように、利得クランプド半導体光増幅器において生成された利得チャンネルと非干渉チャンネルとの波長間隔は、ユーザのニーズに合わせて制御可能である。
【００６０】
外部変調器６１５は、上記広帯域光のうちで、利得チャンネルに放送用のデータが載せられた放送用の光信号に変調した後、第１の波長選択結合器６１４を介して地域基地局６２０に出力する。
【００６１】
地域基地局６２０は、逆多重化器６２１と、放送用の光信号を複数の放送用の光信号に強度分割するための強度分割器６２４と、第２の波長選択結合器６２２と、複数の第３の波長選択結合器６２３−１〜６２３−ｎとを備えている。地域基地局６２０は、上記第３の実施形態と同様に、中央基地局６１０から入力された多重化された下り光信号を逆多重化して該当する各加入者装置６３０−１〜６３０−ｎに出力し、放送用の光信号を複数の光信号に強度分割して各加入者装置６３０−１〜６３０−ｎに出力する。
【００６２】
また、各加入者装置６３０−１〜６３０−ｎは、該当する波長の下り光信号と放送用の光信号とを検出するための光検出器としてのフォトダイオードなどを備えることができる。
【００６３】
以上、本発明を具体的な実施形態に則して詳述したが、特許請求の範囲に記載されるような本発明の精神及び範囲を外れることなく、形式や細部等についての種々の変形が可能であることは勿論である。したがって、本発明の範囲は、上述した実施形態に限定されるものではなく、特許請求の範囲及び該記載と均等なものによって定められるべきである。
【図面の簡単な説明】
【００６４】
【図１】従来の受動型光加入者網の構成図である。
【図２】本発明の第１の実施形態の受動型光加入者網の構成図である。
【図３】図２の中央基地局の部分構成図である。
【図４】本発明の第２の実施形態の受動型光加入者網の構成図である。
【図５】本発明の第３の実施形態の受動型光加入者網の構成図である。
【図６】本発明の第４の実施形態の受動型光加入者網の構成図である。
【符号の説明】
【００６５】
２１０  中央基地局
２２０  地域基地局
２１１  第１の多重化／逆多重化器
２１２  下り光送受信器
２１３  広帯域光源
２１５  監視光検出器
２１６  第１の波長選択結合器
２１７  第２の波長選択結合器
２２１  第２の多重化／逆多重化器
２２２  帯域選択反射フィルタ
【図１】
2006217621.tif 000003
【図２】
2006217621.tif 000004
【図３】
2006217621.tif 000005
【図４】
2006217621.tif 000006
【図５】
2006217621.tif 000007
【図６】
2006217621.tif 000008